(57)【特許請求の範囲】
【請求項１】
一方の主面で開口した穴を少なくとも二つ有する穴付き丸ナットの該穴に係合する二つのピンを相互に近接離間可能に備えた穴付き丸ナット締付補助具であって、
一端側にトルク入力部を備え、該一端から他端側に向かって軸線方向に延びた締付補助具本体部と、
該本体部の前記他端側において該本体部の軸線方向及び該軸線に直交する方向に移動可能に該本体部に係合された可動部であって、軸線方向に平行に該本体部の前記他端方向に延在した第一のピンを備えたものと、
該本体部の前記他端において軸線方向に垂直に拡がり丸ナットの前記一方の主面に当接する当接面を形成する板状部であって、本体部の半径方向に延在し前記第一のピンが貫通しているスロット、及び本体部の軸線方向に平行に延びた第二のピンを備えたものとを
有してなる穴付き丸ナット締付補助具。
【請求項２】
前記可動部が係合穴を備えており、締付補助具本体部は、前記トルク入力部を備えた螺合軸部を一端側に有すると共に、該螺合軸部の他端から軸線方向に延在し前記可動部の係合穴が軸線方向及び該軸線に直交する方向に移動可能に装着された係合軸部を他端側に有しており、前記板状部が、本体部の前記他端をなす前記係合軸部の延在端に固定されており、前記可動部が前記板状部に対して所定位置に設定された際該可動部を前記螺合軸部に対して固定する螺着部材を更に備えている請求項１に記載の穴付き丸ナット締付補助具。
【請求項３】
前記螺着部材が軸線方向突出部を備えている請求項２に記載の穴付き丸ナット締付補助具。
【請求項４】
前記トルク入力部は、一方向回転伝達クラッチ機能を有するレンチが係合されるように構成されている請求項１から３までのいずれか一つの項に記載の穴付き丸ナット締付補助具。
【請求項５】
穴付き丸ナットが螺着されるべき回転軸に対して相対回転不能に係合される係合凹部を先端に備えた回転軸保持部と、前記螺着部材に係合される係合凹部を先端の一側に備えた締付補助具保持部と、締付補助具保持部を回転軸保持部側に偏倚させる弾性手段とを有する、請求項２または３に記載の穴付き丸ナット締付補助具を保持するための保持具。
【発明の詳細な説明】
【０００１】
【発明の属する技術の分野】
本発明は、穴付き丸ナットを軸に締め付けるための穴付き丸ナット締付補助具及びそのその保持具に係わり、より詳しくは、穴付き丸ナットを電動式回転工具のような回転工具の軸に締め付けるための穴付き丸ナット締付補助具及び該締付補助具による締付の際締付補助具及び軸を固定的に保持するための保持具（締付補助具保持用及び回転軸保持用補助具）に係わる。
【０００２】
電動式回転工具は、例えば、一部破断斜視図を図１２に、分解図を図１３に示した電動式ディスクグラインダような形態を有する。
【０００３】
ディスクグラインダ１００は、電動モータが収納されたハウジング１０１及び柄ないし操作ハンドル１０２からなる本体部１０３と、モータの出力軸と一体的な回転軸１０４と、回転軸１０４のボルト部１０５に螺着されたインナーフランジ１０６と、中央穴１０７を備えた切断用などの砥石ホイール（換言すれば、砥石ディスクないしディスク砥石または回転砥石）１０８と、砥石ホイール１０８の外側から回転軸１０４のボルト部１０５に螺着され砥石ホイール１０８を固定するロックナット１０９とを有する。ここで、ロックナット１０９が、穴付き丸ナットからなる。なお、図１２及び１３に図示した例では、インナーフランジ１０６も穴付き丸ナットからなる。１１０は、ホイールカバーである。回転軸１０５の基部には、後述する回転軸保持用補助具（回転軸保持具）を係合させる面取係合部１１１が形成されている。
【０００４】
このディスクグラインダ１００のような電動工具では、例えば加工用途等に応じてホイール１０８が取換えられる。取換に際しては、ロックナット１０９を外してホイール１０８を所定のものに置換した後ロックナット１０９を回転軸１０４のボルト部１０５に締め付けることになる。なお、場合によっては、インナーフランジ１０６を用途等に応じて取り換えたり締め直すこともある。
【０００５】
【従来の技術】
図１２及び１３に示したディスクグラインダ１００のような電動工具の回転軸１０４のボルト部１０５に穴付き丸ナットからなるインナーフランジ１０６やロックナット１０９を締め付けるための締付具としては、従来、図１４に示したロックナットレンチ１２０が知られている。このロックナットレンチ１２０は、インナーフランジ１０６の一方の主面１１２で開口した二つの穴１１３，１１４やロックナット１０９の一方の主面１１５で開口した二つの穴１１６，１１７に嵌入・係合される二つのピン１２１，１２２を有するヘッド部１２３と柄部（ハンドル部）１２４とを備えている。
【０００６】
このロックナットレンチ１２０を用いて、例えばロックナット１０９を締めたり緩めたりしようとする場合、図１５に示した回転軸保持用補助具であるシャフトレンチ１３０の先端部１３１の凹部１３２に回転軸１０４の面取り部１１１が嵌め込まれるようにシャフトレンチ１３０を回転軸１０４に係合させ、シャフトレンチ１３０の柄部１３３を保持して回転軸１０４の回転を禁止した状態で、ロックナットレンチ１２０のピン１２１，１２２をロックナット１０９の穴１１６，１１７に係合させロックナットレンチ１２０の柄部１２４を所定方向に回す。
【０００７】
尚、ロックナットレンチとしては、図１６に符号１４０で示したように、一方のピン１４１が他方のピン１４２に対して近接離間され得るように、一方のピン１４１の腕部１４３を他方のピン１４２の腕部１４４に対して軸１４５のまわりで回動可能にしてなるものも知られている。なお、１４６は、柄部である。このロックナットレンチ１４０も、ピン１４１，１４２間の距離が調整可能である点を除いて、ロックナットレンチ１２０と同様に穴付き丸ナットを締付たり緩めたりするために用いられている。
【０００８】
【発明が解決しようとする課題】
しかしながら、ロックナットレンチ１２０や１４０を用いて穴付き丸ナットを締付けたり緩めたりしようとする場合、一方の手で回転軸保持用補助具（シャフトレンチ）１３０の柄部１３３をもって回転軸１０４の回転を禁止させ、他方の手でロックナットレンチ１２０または１４０の柄部１２４または１４６を回そうとしても電動式回転工具１００の載置安定性が悪いので、力（トルク）を加え難い。回転工具１００の載置安定性を高めるべく回転工具１００の本体部１０３を床上や地上に押し付けて身体の一部でかかえるようにして固定しておいて、シャフトレンチ１３０及びロックナットレンチ１２０または１４０の柄部１３３及び１２４または１４６を両手で持ってトルクを加えようとしても、手で加える力の向きがうまく定まり難く、ロックナットレンチ１２０または１４０のピン１２１，１２２または１４１，１４２と穴付き丸ナット１０６または１０９の穴１１２，１１３または１１６，１１７との嵌合係合が外れ易く、また、ロックナットレンチ１２０または１４０の柄部１２４または１４６が短かすぎて十分なトルクを加え難い。従って、手がホイール１０８にあたって手を怪我したり、ホイール１０８を壊したりする虞がある。なお、ロックナットレンチ１２０または１４０の柄部１２４または１４６を長くしようとすると、例えば回転工具１００のホイールカバー１１０などの妨害物に当たるのを避けるべく、回転軸１０４の向き（回動位置）を変える必要が生じ、回転工具１００の本体部１０３を（保持する）向きを一定にした状態では、手で力を加えるには柄部１３３及び１２４または１４６の向きが悪くなってしまう虞がある。
【０００９】
なお、回転軸１０４を固定するシャフトロックボタンを備えた電動工具も知られているが、この電動工具でもシャフトロックボタンを押したままにしておくために一方の手または指を用いる必要があるので、状況は、ほぼ同様である。
【００１０】
本発明は、前記諸点に鑑みなされたものであり、その目的とするところは、穴付き丸ナットの締付・緩め（締付解除）を、容易かつ確実に行ない得るようにした穴付き丸ナット締付補助具及びその保持具を提供することにある。
【００１１】
【課題を解決するための手段】
本発明によれば、前記した目的は、一方の主面で開口した穴を少なくとも二つ有する穴付き丸ナットの該穴に係合する二つのピンを相互に近接離間可能に備えた穴付き丸ナット締付補助具であって、一端側にトルク入力部を備え、該一端から他端側に向かって軸線方向に延びた締付補助具本体部と、該本体部の前記他端側において該本体部の軸線方向及び該軸線に直交する方向に移動可能に該本体部に係合された可動部であって、軸線方向に平行に該本体部の前記他端方向に延在した第一のピンを備えたものと、該本体部の前記他端において軸線方向に垂直に拡がり丸ナットの前記一方の主面に当接する当接面を形成する板状部であって、本体部の半径方向に延在し前記第一のピンが貫通しているスロット、及び本体部の軸線方向に平行に延びた第二のピンを備えたものとを有してなる穴付き丸ナット締付補助具によって達成される。
【００１２】
【作用及び効果】
本発明による穴付き丸ナット締付補助具は、一方の主面で開口した穴を少なくとも二つ有する穴付き丸ナットの該穴に係合する二つのピンを相互に近接離間可能に備えているので、穴間の距離が種々異なる穴付き丸ナットの締付及びその解除に適用され得る。しかも、本発明の穴付き丸ナットでは、一端側にトルク入力部を備え該一端から他端側に向かって軸線方向に延びた締付補助具本体部の前記他端において軸線方向に垂直に拡がり、丸ナットの前記一方の主面に当接する当接面を形成する板状部が、本体部の半径方向に延在し第一のピンの貫通したスロット、及び本体部の軸線方向に平行に延びた第二のピンを備えているので、締付補助具の丸ナットに対する当接面が、径方向断面で見て、第一のピン及び第二のピンを含む広い範囲で丸ナットの主面に当接され得る。また、本発明の締付補助具では、第一のピンを備えた可動部は、本体部の前記他端側において該本体部の軸線方向及び該軸線に直交する方向に移動可能に該本体部に係合され且つその第一のピンが板状部のスロットを貫通するように構成されているので、穴付き丸ナットに対して第一及び第二のピンでトルクをかける際、可動部が本体部の該可動部との係合部分及び板状部のスロットの側壁によって支持され得るから、可動部が本体部及び板状部に対して変位される虞が少ない。従って、本体部のトルク入力部に加えられたトルクが締付補助具の二つのピンと丸ナットの二つの穴との係合を介して効果的に穴付き丸ナットに伝達され得る。
【００１３】
加えて、本発明の丸ナット締付補助具では、トルク入力部に加えられたトルクが本体部並びに第一及び第二のピンを介して穴付き丸ナットに伝達されるように構成されているので、ホイールカバーのような妨害物のない、穴付き丸ナットから回転軸の軸線方向に離れた所でトルクを加え得るから、柄部の長いトルク入力手段またはラチェット式レンチのような一方向回転伝達クラッチ機能を備え回動位置調整が可能なトルク入力手段でトルクを加え得る。従って、締付やその解除のために（締めたり緩めたりするために）、トルクを容易かつ確実に加え得る。更に、本発明の締付補助具が軸線方向に移動して締付補助具の第一及び第二のピンと穴付き丸ナットの二つの穴との嵌合係合が外れるのを防ぐ締付補助具保持手段を本発明の締付補助具と回転軸との間に別途講じておくことが可能となり、締付補助具保持手段を併用することにより、締付補助具の第一及び第二のピンと穴付き丸ナットの二つの穴との嵌合係合が外れることを危惧することなく安全に大きなトルクを本発明の締付補助具のトルク入力部に加えることが可能になる。
【００１４】
以上において、穴付き丸ナットは、少なくとも二つの穴を主面に有するタイプのものであれば、穴の数は、三つ以上いくつでもよいが、好ましくは、直径方向に対向する穴を有するように、偶数個である。また、穴付き丸ナットの穴は、一方の主面で開口していればよいが、通常のように、他方の主面でも開口した貫通穴でもよい。
【００１５】
「トルク入力部」とは、締付補助具のうちトルクが加えられるように構成された部分をいい、例えば、角柱（後述の実施例では六角柱）状の軸部や、角穴（後述の実施例では四角穴）からなる。本発明の締付補助具の役割からして、穴付き丸ナットと同様な構成の穴からなるトルク入力部ではないことが好ましいけれども、穴付き丸ナットから軸線方向に離れた所でトルクが加えられ得るという観点では、かかるトルク入力部の構成も一応含まれ得る。
【００１６】
【発明の実施の形態】
本発明による好ましい一実施の形態の穴付き丸ナット締付補助具では、前記可動部が係合穴を備えており、締付補助具本体部は、前記トルク入力部を備えた螺合軸部を一端側に有すると共に、該螺合軸部の他端から軸線方向に延在し前記可動部の係合穴が軸線方向及び該軸線に直交する方向に移動可能に装着された係合軸部を他端側に有しており、前記板状部が、本体部の前記他端をなす前記係合軸部の延在端に固定されており、前記可動部が前記板状部に対して所定位置に設定された際該可動部を前記螺合軸部に対して固定する螺着部材を更に備えている。
【００１７】
この場合、穴付き丸ナット締付補助具は、比較的小さな部品の形態を採り得る。しかも、螺着部材の螺合を緩めた状態で第一及び第二のピンを穴付き丸ナットの対応する二つの穴に係合（嵌挿）した後、螺着部材を締め付けることによって、穴付き丸ナットの二つの穴の距離に係わらず締付補助具を二つのピンが穴付き丸ナットの穴に入った状態で穴付き丸ナット（及び該丸ナットを含む回転工具）に取付け得る。また、穴付き丸ナットに対して第一及び第二のピンでトルクをかける際、可動部が本体部の係合部としての係合軸部及び板状部のスロットの側壁によって支持され得るから、可動部が本体部及び板状部に対して位置ずれしたり捩じれたりする虞が少ない。従って、本体部のトルク入力部に加えられたトルクが締付補助具の二つのピンと丸ナットの二つの穴との係合を介して効果的に穴付き丸ナットに伝達され得る。
【００１８】
本発明による好ましい一実施の形態の穴付き丸ナット締付補助具では、前記トルク入力部は、ラチェット式レンチのような一方向回転伝達クラッチ機能を有するレンチが係合されるように、例えば角柱や角穴の形態に、構成されている。この場合、締付補助具を用いた穴付き丸ナットの締付や該締付の解除に、例えばラチェット式レンチが用いられ得る。従って、丸ナットの二つの穴の回動位置に係わらず、場合によっては、丸ナットの周囲の一部に自由な空間が十分にはなくても、トルク入力に都合のよい位置で、しかもラチェット一個分（またはその整数個分）に応じた小刻みな範囲で、穴付き丸ナットに締付や該締付の解除のためのトルクを加え得る。
【００１９】
本発明による好ましい一実施の形態の穴付き丸ナット締付補助具では、前記螺着部材が軸線方向突出部を備えている。この穴付き丸ナット締付補助具では、次に説明するような締付補助具保持用の補助具（締付補助具保持具）を用いて穴付き丸ナットに対して実際上固定され得るから、穴付き丸ナットの締付や該締付の解除が容易かつ確実に行われ得る。
【００２０】
すなわち、本発明の好ましい一実施の形態では、穴付き丸ナットが螺着されるべき回転軸に対して相対回転不能に係合される係合凹部を先端に備えた回転軸保持部と、前記螺着部材（好ましくはその突出部）に係合される係合凹部を先端の一側に備えた締付補助具保持部と、該締付補助具保持部を前記回転軸保持部の方へ偏倚させる弾性手段とを有する、穴付き丸ナット締付補助具を保持するための保持具が、更に、提供される。
【００２１】
その結果、この穴付き丸ナット締付補助具が、保持具によって穴付き丸ナットに対して実際上固定され得るから、締付補助具のピンと穴付き丸ナットの穴との嵌合係合が外れるのを気にすることなく締付補助具のトルク入力部にトルクを加え得るので、穴付き丸ナットの締付や該締付の解除が容易かつ確実に行われ得る。
【００２２】
【実施例】
次に、図１２及び１３に示した電動工具１００の穴付き丸ナット１０６，１０９の締付や該締付の解除に適用するに適した、本発明による好ましい一実施例の穴付き丸ナット締付補助具を、図１から５に基づいて説明する。
【００２３】
図１から５において、穴付き丸ナット締付補助具１は、図１２及び１３の穴付き丸ナット１０６や１０９の主面１１２や１１５で開口した穴１１３，１１４や１１６，１１７に係合する二つのピン２，３をＡ方向（軸線Ｌに直交する方向）に相互に近接離間可能に備えている。
【００２４】
より詳しくは、穴付き丸ナット締付補助具１は、締付補助具本体部４、可動部５、及び板状部６からなる締付補助具素体７と、螺着部材８とからなる。
【００２５】
締付補助具素体７のうち締付補助具本体部４は、トルク入力部１１を備え外周にネジが切られた螺合軸部１２を一端１３側に有すると共に、該螺合軸部１２の他端１７から軸線方向Ｂに延在した係合軸部１４を有する。この例では、トルク入力部１１は、螺合軸部１２のほぼ六角柱状部１５からなり、例えば六角ボルトを締め付けるためのレンチ（例えばラチェット式レンチ）によってこの六角柱状部１５にトルクが加えられ得る。なお、図２及び４からわかるように、螺合軸部１２には一端１３で開口した四角柱状の軸方向穴１６が形成されており、この四角穴１６もまたラチェット式レンチのようなトルク入力手段によるトルク入力部１１として機能し得る。
【００２６】
トルク入力部１１としては、角柱状部１５または角穴１６のうちのいずれか一方があればよいが、広範囲の利用を可能にするために、この例のように角柱状部１５と角穴１６との両方が設けられていてもよい。トルク入力部１１は、螺合軸部１２の軸線方向の全体ではなく一部に設けられていてもよい。係合軸部１４は、螺合軸部１２よりも小径であればその形状は問わないが、後述するように可動部５の係合穴のＡ方向移動を案内するように且つトルクを広範囲で支え得るようにＡ方向に平行な面取りがなされているのが好ましく、例えば、横断面が長方形もしくは正方形又は六角形などでもよい。
【００２７】
締付補助具素体７の可動部５は、ほぼ楕円形の板状体からなりほぼ中央部にほぼ長方形の係合穴２１が形成された可動部本体２２を有する。なお、第一のピン２は、基端側がこの可動部本体２２と一体的に形成され、可動部本体２２の外側の主面２３から軸線方向（軸線Ｌの延在方向）Ｂに平行に突出している。可動部５は、軸線方向Ｂ及び該軸線Ｌに直交する方向Ａに移動可能に締付補助具本体部４の小径の係合軸部１４に遊嵌されている。なお、可動部５の本体２２の板状体には係合穴２１の長手方向Ａにおける本体２２の位置調整の際指で確実に保持され得るように粗面２４が形成されている。
【００２８】
可動部５の本体２２の板状体は楕円形の代わりに円形など他の形状でもよいが、粗面２４がＡ方向の少なくとも一箇所で板状部６よりもＣ方向（Ａ方向に直交する方向）に突出するように幅広であることが好ましい。また、係合穴２１は、図示のように角が丸められていても丸められていなくてもよい。
【００２９】
板状部６は、本体部４の小径係合軸部１４の延在端１７に一体的に固定・形成されており、丸ナット１０６，１０９の一方の主面１１２，１１５に当接する当接面３１を形成すべく、軸線方向Ｂに垂直（Ａ方向及びＣ方向）に拡がっている。板状部６は、可動部５のピン２が軸線方向Ｂに出入り可能であり且つ軸線方向Ｂに直交する方向Ａに移動可能なスロット３２を備えている。スロット３２は、図１の上端まで延びていてもよいが、板状部６の機械的強度の観点からは、図示の如く上端が閉じられているのが好ましい。軸線Ｌに関してスロット３２と反対側において第二のピン３が板状部６の当接面３１から軸線Ｌの延在方向に平行な方向Ｂに突出している。
【００３０】
なお、本体部４の穴１６は、板状部６のある端部１７で開口しているが、該端部１７のところ及びこの近傍では、締付補助具１を穴付き丸ナットに取付けた際回転工具１００の回転軸１０４が該穴１６に挿入され得る限りその形状及び大きさは問わない。
【００３１】
なお、図１において、可動部５と板状部６との当接面のいずれか一方に上下方向Ａに延在する突起ないし突条を設けると共に他方に上下方向Ａに延在する溝を設けて、この突起と溝との係合によって、可動部５が板状部６によって図１の上下方向Ａに案内されるようにしてもよい。
【００３２】
螺着部材８は、可動部５及び板状部６のピン２及び３が穴付き丸ナット１０６や１０９の対応する穴に嵌め込まれて可動部５が板状部６に対してＡ方向の所定位置に設定された際螺合軸部１２に対してねじ込まれて可動部５を板状部６に対して締め付け固定する。なお、螺着部材８は、可動部５に当接する面４１とは逆側４２に、軸線方向突出部４３を備えている。この軸方向突出部４３は、後述するように、締付補助具１を保持具で保持する際の被係合部として働く。
【００３３】
締付補助具１は、ピン２，３の間の距離がある程度の範囲では調整可能であるけれども、ピン２，３間の距離が更に大きく異なるものに適用するために、適用範囲（可変範囲）の異なる複数種類の締付補助具１を準備しておいてもよい。
【００３４】
次に、穴付き丸ナット締付補助具１を図１２及び１３の電動工具に適用する際に用いられる本発明による好ましい一実施例の保持具を図６及び７に基づいて説明する。
【００３５】
図６及び７からわかるように、保持具５０は、柄部５１と、この柄部５１から一体的に延在した細長い平板状の本体部５２と、この本体部５２に対して本体部５２の長手方向Ｄに位置調整可能に取付けられた締付補助具保持部５３とを有する。
【００３６】
より詳しくは、保持具５０の本体部５２は、厚くなった基端５４で柄部５１に固定・連結され、先端５５には、穴付き丸ナット１０６，１０９が螺着されるべきボルト部１０５を備えた回転軸１０４の面取り部１１１に対して相対回転不能に係合される係合凹部としてのほぼＵ字型の切欠（凹部）５６を有している。この凹部５６の「Ｕ」両足部の幅Ｅは、回転軸１０４の面取係合部１１１の幅Ｆとほぼ同じでこの幅Ｆよりもわずかに大きい。尚、凹部５６の両側壁部５７，５８の間の距離Ｅが調整可能なように一方の壁部５７または５８を本体部５２に一体的に形成し、他方の壁部（足部）５８または５７を本体部５２の壁部５７または５８に対して位置調整可能に固定するようにしてもよい。
【００３７】
本体部５２の基部５４の近傍には、長手方向Ｄに沿って延びたスロット５９が形成されている。なお、本体部５２は、先端５５が電動工具１００のモーターハウジング１０１とインナーフランジ１０６との間で面取係合部１１１に嵌められ得るように薄い限り、基部５４から先端５５の近傍までの領域が板状の代わりに厚みの大きい棒状など他の形状であってもよい。
【００３８】
保持具５０の締付補助具保持部５３は、基端６１側で、本体部５２の基端５４近傍にＤ方向に位置調整可能に取付けられたＬ字型ブラケット部材６２と、このブラケット部材６２のＬの先端６３に対してピン６４を介してＧ方向に枢動可能に取付けられた細長い平板状の保持部材６５とを有する。
【００３９】
Ｌ字型ブラケット部材６２は、基部６１の両側部６６，６７が本体部５２の基部５４の近くの平板状部６８の両側を抱え込むように該平板状部６８に対してＤ方向に移動可能に係合され、且つ基部６１から突設されたピン状部６９が本体部５２のスロット５９にＤ方向に移動可能に嵌め込まれている。なお、ピン状部６９は、図示の例のように、Ｌ字型部材６２の基部６１の穴７０に嵌挿されたボルト７１からなっていてもよい。この場合、ボルト７１の離脱を防ぐべくナット７２が螺合されている。
【００４０】
細長い平板状保持部材６５は、基端部７３でブラケット部材６２のＬ字の先端６３に枢着されており、この枢着部のピン６４に巻き付けられた弾性手段としてのコイルばね７５によって先端７６側が本体部５２の先端５５側に近接せしめられるようにＧ１方向に偏倚せしめられている。
【００４１】
保持部材５３の先端７６の一側７７には、締付補助具１の螺着部材８の突出部４３に係合される係合凹部７８が形成されている。この係合凹部７８は、突出部４３を受容し得る大きさの開口７９を有し、且つ突出部４３が開口７９から外れないように突出部４３を内部に保持すべく、開口７９よりも奥側程下方に位置する上下の壁部８０，８１を有する。
【００４２】
なお、螺着部材８に軸方向突出部４３を形成しないで、単純な円筒体や角筒体などの形態に螺着部材８を形成してもよい。その場合、螺着部材８の外周が凹部７８に嵌込・係合されるようにすればよい。
【００４３】
柄部５１の基端には、ネジ穴８２が形成されており、締付補助具１の不使用時に締付補助具１の本体部７の螺合軸部１２をこのネジ穴８２に螺着することによって、締付補助具１を保持具５０と一緒にして収納し得る。尚、締付補助具１を保持具５０とつながった状態で収納するためには、代わりに、両者の間をワイヤーなどで繋いでおいてもよい。
【００４４】
次に、図１から５に示した締付補助具１を図６，７に示した保持具５０を用いて、図１２，１３に示した回転工具１００のロックナット（穴付き丸ナット）１０９の締付やその解除に適用する例を、図８及び９を参照しつつ説明する。
【００４５】
電動工具１００の回転砥石１０８を軸１０４に固定する場合、電動工具１００のインナーフランジ１０６上にかぶせるように回転砥石１０８を軸１０４に嵌め、更にその上からロックナット１０９を軸１０４のボルト部１０５に螺合させる。ある程度の螺合は手で進める方が容易であるけれども、図８のＢ１方向へのロックナット１０９の螺合（捩じ込み）の進行に伴って、手動による捩じ込みは困難になる。
【００４６】
次に、穴付き丸ナット締付補助具１をロックナット１０９に装着する。すなわち、穴付き丸ナット締付補助具１の螺着部材８を緩めて可動部５を板状部６に対してＡ方向に移動可能にした状態で、穴付き丸ナット締付補助具１のピン２，３をロックナット１０９の対応する穴１１６，１１７に嵌め込み、その後、螺着部材８を軸部１１のボルト部１２に締め込んで、可動部５を固定する。
【００４７】
次に、保持具５０を用いて、回転工具１００のモーターの出力軸１０４を固定すると共に、締付補助具１を出力軸１０４に対して固定的に保持する。すなわち、保持具５０の本体部５２の足部（先端部）５５の係合凹部５６に出力軸１０４の面取り面取係合部１１１を嵌めて出力軸１０４を非回転状態に保持し得るようにすると共に、保持具５０の保持具５３の平板状保持部６５の係合穴７８に締付補助具１の螺着部材８の小径突出部４３を嵌めて締付補助具１のピン２，３による係合（嵌合）が外れないように、締付補助具１を保持する。ここで、保持具５０の保持具５３の係合穴７８は奥ほど下方に位置するようになっているので、係合穴７８内に収容された小径突出部４３は穴７８の最深部で穴７８内に受容される。しかも、保持具５０の保持具５３の平板状部６５は、コイルばね７５によってＧ１方向に偏倚せしめられているので、締付補助具１には、回転工具１００の方に向かうＢ１方向の偏倚力が加えられるから、締付補助具１のピン２，３とロックナット１０９の穴１１６，１１７との嵌合が外れる虞が少なく、締付作業を安全に行い得る。この状態では、例えば回転工具１００を床又は台の上に載置した状態で保持具５０の柄５１を保持するだけで、回転工具１００をその出力軸１０４を含めて固定状態に保持し得、且つロックナット１０９及び締付補助具１を出力軸１０４のボルト部１０５に対して回転可能な一体的状態に保持し得る。
【００４８】
次に、一方向回転伝達クラッチ機能を備えたレンチとしてのラチェット式レンチ９０によって、締付補助具１のボルト部１１に形成された六角柱状のトルク入力部１１に締付トルクをＪ１方向に加えて、締付補助具１のピン２，３とロックナット１０９の穴１１６，１１７との係合を介してロックナット１０９を出力軸１０４のボルト部１０５に沿ってＪ１方向に締め付ける。
【００４９】
締付補助具１では、螺合軸部１２にラチェット式レンチ９０が係合可能な六角柱状トルク入力部１１が形成されているから、ロックナット１０９の穴１１６，１１７の回転（回動）位置にかかわらず周囲に作業空間が十分採れる側から締付作業を行ない得るので、ロックナット１０９の強固な締付を容易かつ確実に行ない得る。加えて、この例の回転工具１００では、軸線方向に見てホイールカバー１１０よりも穴付き丸ナット１０６，１０９から遠いところにトルク入力部１１が位置するから、ラチェット式レンチ７０は、トルクを加え易い向き（回転軸１０４の回転軸線のまわりの回動位置）の近傍で、使用され得る。
【００５０】
なお、ラチェット式レンチ９０は、本体９１と、この本体９１に回転可能に支承され六角柱状トルク入力軸１１に嵌合される六角穴付輪部９２と、この六角穴付き輪部９２の軸線方向中央部の外周に形成されたラチェット歯９３と、このラチェット歯９３の回転方向（回転の向き）を規定する爪９４とからなる。爪９４は、ラチェット歯９３を介してＪ１方向またはＪ２方向の回転を選択的に伝えるべく、ピン９５のまわりで回動可能である。
【００５１】
このラチェット式レンチ９０としては、例えば、図１０に示したように輪部９２の内径の異なるものを本体９１の両端に有するタイプのものでもよい。また、ラチェット式レンチとしては、輪部が角穴を有する代わりに、図１１に示すように、角柱９２ａを有するタイプのもので、爪９４ａの回動によってトルク入力方向が偏向されるタイプのもの９０ａでもよい。
【００５２】
締付補助具１では、トルク入力部１１が角穴１６を備えているから、図１０のタイプのラチェット式レンチ９０の代わりに図１１に示したタイプのラチェット式レンチ９０ａを用いることもできる。
【００５３】
尚、トルク入力部１１へのトルクを加えるには、ラチェット式レンチのような一方向クラッチ機構を備えたものの代わりに、モンキースパナのような他のレンチを用いてもよい。
【００５４】
尚、ロックナット１０９を緩めるには、ラチェット式レンチ９０または９０ａの爪９４または９４ａの設定位置を逆にしてトルクの入力方向をＪ１の代わりにＪ２とする点を除いて、締付時と同様な操作を行なえばよい。
【００５５】
以上では、回転工具１００の穴付き丸ナットのうちロックナット１０９の締付または締付の解除（緩め作業）に締付補助具１及び保持具５０を用いる例について説明したが、インナーフランジ１０６の締付や締付の解除にも同様に適用され得ることは明らかであろう。
【００５６】
以上において、穴付き丸ナットは、直径方向に二つの穴がある例について説明したが、穴が４個以上ある場合にも直径方向に対向する二つの穴に締付補助具１のピン２，３を嵌め込むことによって同様に締付やその解除を行ない得ることも明らかであろう。
【００５７】
また、電動工具ないし電動式回転工具１００の工具回転体としては、回転砥石１０８の代わりにワイヤブラシのような他の工具でもよく、更に穴付き丸ナットが締付に用いられる軸を備えている限り、電動式回転工具以外の任意の装置に対して本発明の締付補助具が用いられ得ることも明らかであろう。
【図面の簡単な説明】
【図１】本発明による好ましい一実施例の穴付き丸ナット締付補助具の分解・斜視説明図である。
【図２】図１の締付補助具の軸線方向に沿った断面説明図である。
【図３】図２の締付補助具のＩＩＩ方向の端面説明図である。
【図４】図２の締付補助具のＩＶ方向の端面説明図である。
【図５】図２の締付補助具のＶ−Ｖ線に沿った断面の端面説明図である。
【図６】本発明による好ましい一実施例の回転軸及び締付補助具の固定用保持具斜視説明図である。
【図７】図６の保持具の側面説明図である。
【図８】図１の締付補助具と図６の保持具とを用いて図１２の電動工具の穴付き丸ナットの締付やその解除を行なう例を示した断面説明図である。
【図９】図８の下面説明図である。
【図１０】図１の締付補助具の締付に用いられるラチェット式レンチの一例の斜視説明図である。
【図１１】図１の締付補助具の締付に用いられるラチェット式レンチの別の例の斜視説明図である。
【図１２】本発明の締付補助具及び保持具が用いられる電動工具の一例の斜視図である。
【図１３】図１２の電動工具の分解斜視図である。
【図１４】従来の穴付き丸ナット締付補助具の一例の斜視説明図である。
【図１５】従来の穴付き丸ナット締付具と共に用いられた回転軸固定用補助具の斜視説明図である。
【図１６】従来の穴付き丸ナット締付具の別の例の斜視説明図である。
【符号の説明】
１  穴付き丸ナット締付補助具
２，３  ピン
４  締付補助具本体部
５  可動部
６  板状部
７  締付補助具素体
８  螺着部材
１１  トルク入力部
１２  螺合軸部
１３  端部（一端）
１４  係合軸部
１５  六角柱部
１６  四角穴（四角柱状軸方向穴）
１７  端部（他端）
２１  係合穴
２２  可動部本体
２３  主面
２４  粗面
３１  当接面
３２  スロット
４１  当接面
４２  当接面とは逆側の面
４３  軸線方向突出部
５０  保持具
５１  柄部
５２  本体部（回転軸保持部）
５３  締付補助具保持部
５４  基端
５５  先端（足部）
５６  係合凹部
５７，５８  両側壁部
５９  スロット
６１  基端
６２  Ｌ字型ブラケット部材
６３  先端
６４  ピン
６５  平板状保持部材
６６，６７  両側部
６８  平板状部
６９  ピン状部
７０  穴
７１  ボルト
７２  ナット
７３  基端部
７５  コイルばね
７６  先端
７７  一側
７８  係合凹部
７９  開口
８０，８１  壁部
８２  穴
９０，９０ａ  ラチェット式レンチ
９１  本体部
９２  輪部
９２ａ  角柱部
９３  ラチェット歯
９４，９４ａ  爪
９５  ピン
１００  ディスクグラインダ（電動式回転工具）
１０１  ハウジング
１０２  ハンドル（柄）
１０３  本体部
１０４  回転軸
１０５  ボルト部
１０６  インナーフランジ（穴付き丸ナット）
１０７  中央穴
１０８  ディスク砥石（回転砥石）
１０９  ロックナット（穴付き丸ナット）
１１０  ホイールカバー
１１１  面取係合部
１１２，１１５  主面
１１３，１１４，１１６，１１７  穴
Ａ，Ｂ，Ｂ１，Ｃ，Ｄ，Ｇ，Ｇ１，Ｊ，Ｊ１  方向
Ｅ，Ｆ  幅（長さ）
Ｌ  軸線
【図１】
0003542257.tif 000002
【図２】
0003542257.tif 000003
【図３】
0003542257.tif 000004
【図４】
0003542257.tif 000005
【図５】
0003542257.tif 000006
【図６】
0003542257.tif 000007
【図７】
0003542257.tif 000008
【図８】
0003542257.tif 000009
【図９】
0003542257.tif 000010
【図１０】
0003542257.tif 000011
【図１１】
0003542257.tif 000012
【図１２】
0003542257.tif 000013
【図１３】
0003542257.tif 000014
【図１４】
0003542257.tif 000015
【図１５】
0003542257.tif 000016
【図１６】
0003542257.tif 000017